(57)【要約】【課題】後部座席のシートベルトを、前部座席のシートベルトと同様に片手で容易に装着可能にするバックル固定具を提供する。【解決手段】ベルト部６と当該ベルト部先端に固定されたバックル部５とを備えたシートベルト用バックルを固定するためのバックル固定具１０であって、上面と底面とを有するブロック状の本体１と、本体の上面に形成され、上面が開放したバックル収納部２と、収納部２の底部と本体の底面との間に設けられ、ベルト部６を通すための貫通穴３とを備えたことを特徴とする。【選択図】図１
2008087748.tif 000002
【特許請求の範囲】
【請求項１】
ベルト部と当該ベルト部先端に固定されたバックルとを備えたシートベルト用バックルを固定するためのバックル固定具であって、
上面と底面とを有するブロック状の本体と、前記本体の上面に形成され、上面が開放したバックル収納部と、前記収納部の底部と前記本体の底面との間に設けられた前記ベルト部を通すための貫通穴とを備えたことを特徴とするバックル固定具。
【請求項２】
請求項１に記載のバックル固定具であって、
前記ブロック状の本体は、複数のブロックに分割可能であり、分割部は前記貫通穴を横断する位置に設けられていることを特徴とするバックル固定具。
【請求項３】
請求項１または２に記載のバックル固定具であって、
前記ブロック状の本体は、底面がほぼ平坦であることを特徴とするバックル固定具。
【請求項４】
請求項３に記載のバックル固定具であって、
前記底面に、前記バックル固定具を自動車の座席に固定するための手段を備えたことを特徴とするバックル固定具。
【請求項５】
請求項１または２に記載のバックル固定具であって、
前記バックル収納部の深さ方向の中心線は、前記底面に対し傾斜を有していることを特徴とするバックル固定具。
【発明の詳細な説明】
【技術分野】
【０００１】  本発明は、乗用車後部座席のシートベルト着脱の利便性を改良したバックル固定具に関する。
【背景技術】
【０００２】  一般にシートベルトは、その一端にタングプレートが固定されており、タングプレートを座席（シート部）に設けられたバックルに係合することにより装着される。前部座席においては、バックルは、座席の側部に固定されており、サイドガーニッシュに取り付けられたシートベルトを引き寄せ、その先端のタングプレートをバックルに固定するという動作を片手で行なうことができる。【０００３】  これに対し、後部座席のシートベルトは、バックルは座席に固定されておらず、一端にタングプレートを固定したシートベルトと、一端にバックルを固定したシートベルトとから構成されている。これは、バックル固定部を座席に固定した場合、後部座席の背当て部を折り畳む機能を阻害するからである。【０００４】  このためバックル部は不安定であり、後部座席でシートベルト装着する場合、片手での装着が困難である。特に後部差席に乗ることの多い子供が、後部座席のシートベルトを着用できるようになるまでに時間がかかる。またバックルが固定されたシートベルトが、座席のシート部と背当て部との間に潜りこんでいる場合もあり、引き出してからでなければシートベルトを装着することができない。さらに子供を専用のジュニアシート等で後部座席に乗せてシートベルトを着用する際には、両手を使用しないと、タングプレートをバックルに差し込むことができない。
なおシートベルトの装着性を改善した技術も提案されているが（例えば特許文献１）、前部座席に関する改良であり、上述した後部座席のバックルの問題は解決されていない。
【特許文献１】特開２００４−１４２５３１
【発明の開示】
【発明が解決しようとする課題】
【０００５】  本発明は、後部座席のシートベルトを、前部座席のシートベルトと同様に片手で容易に装着可能にすることを目的とする。
【課題を解決するための手段】
【０００６】  上記課題を解決する本発明のシートベルト用バックル固定具は、次のような特徴を備えている。
上面と底面とを有するブロック状の本体と、本体の上面に形成され、上面が開放したバックル収納用凹部と、凹部の底部と本体の底面との間に設けられたベルト部を通すための貫通穴とを備える。
ブロック状の本体は、複数のブロックに分割可能であり、分割部は貫通穴を横断する位置に設けられている。
【発明の効果】
【０００７】  ブロック状の本体の底部に形成された貫通穴にバックルのベルト部を通すと共に、バックルをバックル収納部に固定することにより、バックルがシート部と背当て部との間に潜りこむのを防止することができる。
またバックルを固定した本発明のバックル固定部を自動車の座席に固定しておくことにより、片手で容易にタングプレートを差し込むことができ、シートベルト装着が容易になる。
【発明を実施するための最良の形態】
【０００８】  以下、図面を参照して本発明の一実施の形態を説明する。
図１は、それぞれ本発明のバックル固定具１０の上面図とバックル５を示す図、図２は図１のＡ−Ａ断面図、図３はＢ−Ｂ断面図である。【０００９】  本発明のバックル固定具１０が適用されるバックル５は、図１に示すように、乗用車の後部座席に設けられたもので、シートベルト用タングプレートが係合するバックル部分と、一端にバックルが固定され、他端が座席に固定されたベルト６とを備えている。【００１０】  本発明のバックル固定具１０は、中央にシートベルト用バックル５を収納するためのバックル収納部２を設けたブロック状本体１からなり、収納部２の底部には、本体１の底面に貫通する帯状の貫通穴３が形成されている。またブロック状本体１は、貫通穴３の端部を横切るように分割部４が設けられ、この分割部４により２分割可能になっている。【００１１】  本体１を構成する材料は、特に限定されないが、例えば、金属、樹脂、ゴム、木質、繊維などを用いることができる。また意匠性や機能性を高めるために、適宜これら材料を組み合わせてもよい。
図では本体１の形状は、回転楕円体を切断したような形状としているが、これも特に限定されず、直方体や半球など種々の形状を採用できる。本体１の大きさは、ほぼ中央にバックル収納部２（凹部）が形成でき、且つシートに潜りこまない程度であればよく、例えば、最大直径は２〜１５ｃｍ、好ましくは５〜１０ｃｍ程度とする。
本体１の底面には、必要に応じて、このバックル固定具を自動車の座席に固定するための粘着層などを設けておいてもよい。【００１２】  バックル収納部２の大きさ（幅）は、バックル５の大きさにほぼ合わせた大きさとし、深さは、特に限定されないが、バックル５を収納したときに、収納部２の上端よりバックルの上端が若干突出する程度とすると操作性がよい。
バックル収納部２には、その内面に緩衝部材を設けても良い。これによりバックル収納部２自体の大きさにある程度自由度を持たせて、サイズが異なるバックル５にも対応可能にすることができる。またバックル収納部２とバックル５の接触により、音や傷の発生を防止できる。【００１３】  バックル収納部２に設けられた貫通穴３は、バックルが固定されたベルト６を通すためのもので、ベルト６の幅、厚みとほぼ等しいか若干大きいサイズであることが好ましい。【００１４】  分割部４は、本発明のバックル固定具を、シートベルトのバックルに固定するために設けられたもので、分割部４において本体１を分割したときに、貫通穴３にバックルのベルトを差し込むことができるように、貫通穴３と交差するように設けられる。好ましくは、貫通穴３の端部で分割されるように設けられる。
また分割部４は、バックル固定後に、分割された複数のブロック状本体を一体化するための手段が備えられていることが好ましい。このような手段としては、面ファスナー、粘着剤、蝶番とフックなどを利用することができる。【００１５】  以上のような構成のバックル固定具は、まず本体１を分割部４から分割した状態で、バックル５のベルト６を貫通穴３に差し込み、収納部２にバックル５を収納する。次いで分割部４を閉じて、バックル５に固定する。【００１６】  上述のようにバックル５を固定したバックル固定具を自動車の座席に固定する。この際、本体１の下面に粘着層などが設けられている場合には、それを利用して座席に固定する。本体１がある程度重量の或る材料から成る場合には、その重みで固定される。また、図４に示すように、バックル固定具１０の大きさ（底面の大きさ）が座席側のバックル収納穴の大きさと同程度である場合には、座席側のバックル収納穴の最大径方向に対し、バックル固定具１０の底面の最大径方向がずれるように、例えば９０度となるように配置することが好ましい。これにより、バックル固定具１０に固定されたバックル５にタングプレートを差し込むときに、バックル固定具１０に上からかかる力を受ける底面が座席シートと接する面積を増やすことができ、操作が不安定になるのを防止できる。【００１７】  以上、本発明のバックル固定具の一実施の形態を図面を参照して説明したが、本発明のバックル固定具は、上記実施の形態に限定されることなく、種々の変更を加えることが可能である。例えば、図では底面が平坦なものを示したが、底面の形状を座席のシート部と背当て部の角度に合わせて約９０°の角度を持つ鍵形としてもよいし、収納部２の深さ方向に対し角度を持たせてもよい。
【図面の簡単な説明】
【００１８】
【図１】本発明のバックル固定具の一実施の形態を示す上面図およびバックルを示す図
【図２】図１のＡ−Ａ断面図。
【図３】図１のＢ−ＢＡ断面図。
【図４】バックル固定具と座席側のバックル収納穴との関係を示す図。
【符号の説明】
【００１９】１・・・本体、２・・・バックル収納部、３・・・貫通穴、４・・・分割部、５・・・バックル、６・・・ベルト、１０・・・バックル固定具。
【図１】
2008087748.tif 000003
【図２】
2008087748.tif 000004
【図３】
2008087748.tif 000005
【図４】
2008087748.tif 000006